(57)【要約】【課題】帯電部材を制御して像保持体の表面電位を変えたことに起因する画像品質の低下を抑制することができる画像形成装置を得る。【解決手段】グラフ中の線Ｇは、実機評価より表面電位−７００〔Ｖ〕の際に、転写不良が生じない転写電流の範囲を示し、グラフ中の線Ｋは、実機評価より表面電位−６００〔Ｖ〕の際に、転写不良が生じない転写電流の範囲を示す。線Ｊは、線Ｇの中心値と、線Ｋの中心値とを通る線である。像保持体３４の表面電位が低くなると、転写不良が生じない転写電流の値が低くなる。ここで、制御部８０は、像保持体３４の表面電位を低くした際に、一次転写ロール５２に供給される転写電流を小さくし、像保持体３４の表面電位を高くした際に、一次転写ロール５２に供給される転写電流を大きくするようになっている。これにより、帯電装置３６を制御して像保持体３４の表面電位を変えたことに起因する画像品質の低下が抑制される。【選択図】図２
2015011289.tif 000002
【特許請求の範囲】
【請求項１】
像保持体と、
交流電源を用いて前記像保持体の表面を帯電させる帯電部材と、
帯電した前記像保持体の表面に静電潜像を形成する像形成部材と、
前記静電潜像をトナー画像として現像する現像部材と、
転写電圧又は転写電流が供給されることで前記像保持体との間で生じる電位差により前記トナー画像を被転写物に転写する転写部材と、
前記帯電部材を制御して前記像保持体の表面電位を低くした際に、前記転写部材に供給される転写電圧又は転写電流を小さくし、前記帯電部材を制御して前記像保持体の表面電位を高くした際に、前記転写部材に供給される転写電圧又は転写電流を大きくする制御部材と、
を備える画像形成装置。
【請求項２】
前記像保持体は回転する円柱状であって、
前記転写部材は、前記像保持体の軸方向に沿って延びる金属ロールであって、
前記転写部材と前記像保持体との間には、被転写物としての転写ベルトが備えられる請求項１の画像形成装置。
【請求項３】
前記軸方向から見て、前記像保持体の表面から前記転写部材の表面までの距離が、前記転写ベルトの厚さよりも長い請求項２に記載の画像形成装置。
【請求項４】
前記像形成部材は、前記像保持体の表面と対向するように並ぶ複数の発光素子を備え、
前記制御部材は、前記発光素子を制御して前記発光素子の発光強度を弱める際に、前記帯電部材を制御して前記像保持体の表面電位を低くし、前記発光素子を制御して前記発光素子の発光強度を強めた際に、前記帯電部材を制御して前記像保持体の表面電位を高くする請求項１〜３の何れか１項に記載の画像形成装置。
【発明の詳細な説明】
【技術分野】
【０００１】
本発明は、画像形成装置に関する。
【背景技術】
【０００２】
特許文献１には、一次帯電バイアスが変更された場合でも、トナーの飛び散りを防止する画像形成装置が記載されている。
【０００３】
例えば、現像性の安定化等の理由により雰囲気の温湿度や画像形成枚数等で一次帯電バイアスを変える場合がある。このように、一次帯電バイアスを変えると感光ドラム（像保持体）表面の帯電電位が変わるため、帯電電位と一次転写バイアスとの電位差が変わってしまい、非画像部での転写電流が変わり、トナー飛び散り、色味の変化による画像不良が起こってしまう。これを防止するためにＣＰＵにより、一次帯電バイアスが変化して帯電電位が変わっても、帯電電位（表面電位）と一次転写バイアスとの電位差が実質的に一定に保たれるようになっている。
【先行技術文献】
【特許文献】
【０００４】
【特許文献１】特開平１１−１０９６８９号公報
【発明の概要】
【発明が解決しようとする課題】
【０００５】
本発明の課題は、帯電部材を制御して像保持体の表面電位を変えたことに起因する画像品質の低下を抑制することである。
【課題を解決するための手段】
【０００６】
本発明の請求項１に係る画像形成装置は、像保持体と、交流電源を用いて前記像保持体の表面を帯電させる帯電部材と、帯電した前記像保持体の表面に静電潜像を形成する像形成部材と、前記静電潜像をトナー画像として現像する現像部材と、転写電圧又は転写電流が供給されることで前記像保持体との間で生じる電位差により前記トナー画像を被転写物に転写する転写部材と、前記帯電部材を制御して前記像保持体の表面電位を低くした際に、前記転写部材に供給される転写電圧又は転写電流を小さくし、前記帯電部材を制御して前記像保持体の表面電位を高くした際に、前記転写部材に供給される転写電圧又は転写電流を大きくする制御部材と、を備えることを特徴とする。
【０００７】
本発明の請求項２に係る画像形成装置は、請求項１に記載の画像形成装置において、前記像保持体は回転する円柱状であって、前記転写部材は、前記像保持体の軸方向に沿って延びる金属ロールであって、前記転写部材と前記像保持体との間には、被転写物としての転写ベルトが備えられることを特徴とする。
【０００８】
本発明の請求項３に係る画像形成装置は、請求項２に記載の画像形成装置において、前記軸方向から見て、前記像保持体の表面から前記転写部材の表面までの距離が、前記転写ベルトの厚さよりも長いことを特徴とする。
【０００９】
本発明の請求項４に係る画像形成装置は、請求項１〜３の何れか１項に記載の画像形成装置において、前記像形成部材は、前記像保持体の表面と対向するように並ぶ複数の発光素子を備え、前記制御部材は、前記発光素子を制御して前記発光素子の発光強度を弱める際に、前記帯電部材を制御して前記像保持体の表面電位を低くし、前記発光素子を制御して前記発光素子の発光強度を強めた際に、前記帯電部材を制御して前記像保持体の表面電位を高くすることを特徴とする。
【発明の効果】
【００１０】
本発明の請求項１の画像形成装置によれば、像保持体の表面電位を変えた際に、転写部材に供給される転写電圧又は転写電流を変えない場合と比して、帯電部材を制御して像保持体の表面電位を変えたことに起因する画像品質の低下を抑制することができる。
【００１１】
本発明の請求項２の画像形成装置によれば、転写部材が金属ロールである構成において、像保持体の表面電位を変えた際に、転写部材に供給される転写電圧又は転写電流を変えない場合と比して、帯電部材を制御して像保持体の表面電位を変えたことに起因する画像品質の低下を抑制することができる。
【００１２】
本発明の請求項３の画像形成装置によれば、像保持体の表面から転写部材の表面までの距離が、転写ベルトの厚さよりも長い構成において、像保持体の表面電位を変えた際に、転写部材に供給される転写電圧又は転写電流を変えない場合と比して、帯電部材を制御して像保持体の表面電位を変えたことに起因する画像品質の低下を抑制することができる。
【００１３】
本発明の請求項４の画像形成装置によれば、発光素子の発光強度を変えた際に、像保持体の表面電位を変えない場合と比して、発光素子の発光強度を変えたことに起因する画像品質の低下を抑制することができる。
【図面の簡単な説明】
【００１４】
【図１】本発明の実施形態に係る画像形成装置に用いられる像保持体等を示した拡大構成図である。
【図２】本発明の実施形態に係る画像形成装置において、像保持体の表面電位と一次転写ロールに供給される転写電流との関係を説明するのに用いたグラフを示した図面である。
【図３】（Ａ）（Ｂ）（Ｃ）本発明の実施形態に係る画像形成装置において、像保持体の表面電位の変化を説明するのに用いた説明図である。
【図４】（Ａ）（Ｂ）（Ｃ）本発明の実施形態に係る画像形成装置において、像保持体の表面電位の変化を説明するのに用いた説明図である。
【図５】本発明の実施形態に係る画像形成装置を示した概略構成図である。
【発明を実施するための形態】
【００１５】
本発明の実施形態に係る画像形成装置の一例を図１〜図５に従って説明する。なお図中に示す矢印Ｖは鉛直方向であって装置上下方向を示し、矢印Ｈは水平方向であって装置左右方向を示す。
【００１６】
（全体構成）
図５に示されるように、画像形成装置１０の装置本体１０Ａの内部には、入力される画像データに対して画像処理を行なう画像処理部１２が設けられている。
【００１７】
この画像処理部１２は、入力された画像データをイエロー（Ｙ）、マゼンタ（Ｍ）、シアン（Ｃ）、ブラック（Ｋ）の４色の階調データに処理するようになっている。
【００１８】
装置本体１０Ａの中央側には、イエロー（Ｙ）、マゼンタ（Ｍ）、シアン（Ｃ）、ブラック（Ｋ）の４つの画像形成ユニット１６Ｙ、１６Ｍ、１６Ｃ、１６Ｋが、水平方向に対して傾斜する方向に間隔をおいて配置され、装置本体１０Ａに着脱可能とされている。この画像形成ユニット１６Ｙ、１６Ｍ、１６Ｃ、１６Ｋで、各色のトナー画像が形成されるようになっている。なお、Ｙ、Ｍ、Ｃ、Ｋを区別して説明する必要が無い場合は、Ｙ，Ｍ，Ｃ，Ｋを省略して記載することがある。
【００１９】
一方、各色の画像形成ユニット１６の鉛直方向の上方には、各色の画像形成ユニット１６で形成されたトナー画像が多重に転写される一次転写ユニット１８が設けられている。さらに、一次転写ユニット１８の側方（図中左側）には、後述する供給搬送ユニット３０によって搬送経路６０に沿って搬送された記録媒体としてのシート部材Ｐに、一次転写ユニット１８に多重に転写されたトナー画像を転写する二次転写ロール２２が設けられている。
【００２０】
二次転写ロール２２に対してシート部材Ｐの搬送方向（以下単に「シート搬送方向」と記載する）の下流側には、シート部材Ｐに転写されたトナー画像を熱及び圧力によってシート部材Ｐに定着させる定着装置２４が設けられている。また、この定着装置２４に対してシート搬送方向の下流側には、トナー画像が定着したシート部材Ｐを画像形成装置１０の装置本体１０Ａの上部に設けられた排出部２６に排出する排出ロール２８が設けられている。
【００２１】
一方、各色の画像形成ユニット１６の鉛直方向の下方及び側方には、シート部材Ｐを供給し搬送する供給搬送ユニット３０が設けられている。
【００２２】
〔画像形成ユニット〕
先ず、画像形成ユニット１６について説明する。
【００２３】
各色の画像形成ユニット１６は、すべて同様に構成されている。そして、各色の画像形成ユニット１６は、回転する円柱状で図示せぬシャフトを介して接地された像保持体３４と、像保持体３４の表面を帯電させる帯電部材の一例としての帯電装置３６と、を備えている。
【００２４】
さらに、各色の画像形成ユニット１６は、像保持体３４の軸方向に並ぶ複数の発光素子９２（ＬＥＤ）を備えて帯電した像保持体３４の表面に露光光を照射する像形成部材の一例としてのＬＥＤヘッド３２と、ＬＥＤヘッド３２の画像露光によって形成された静電潜像を現像剤（本実施形態では負極に帯電したトナー）で現像してトナー画像として可視化する現像部材の一例としての現像器３８と、像保持体３４の表面を清掃する清掃ブレード（図示省略）とを備えている。そして、帯電装置３６、ＬＥＤヘッド３２、現像器３８、及び清掃ブレードは、像保持体３４の表面と対向して、像保持体３４の回転方向の上流側から下流側へ向けてこの順番で配置されている。
【００２５】
なお、像保持体３４、帯電装置３６、及び後述する一次転写ロール５２等については、詳細を後述する。
【００２６】
〔転写部（一次転写ユニット・二次転写ロール）〕
次に、一次転写ユニット１８、二次転写ロール２２について説明する。
【００２７】
一次転写ユニット１８は、各色の画像形成ユニット１６の鉛直方向の上方に配置されている。この一次転写ユニット１８は、転写ベルトの一例としての無端状の中間転写ベルト４２と、中間転写ベルト４２が巻き掛けられ回転駆動して中間転写ベルト４２を矢印Ａ方向に周回させる駆動ロール４６と、中間転写ベルト４２が巻き掛けられ、中間転写ベルト４２に張力を付与する張力付与ロール４８と、張力付与ロール４８の鉛直方向上方に配置されて中間転写ベルト４２と従動回転する補助ロール５０と、中間転写ベルト４２を挟んで各色の像保持体３４の反対側に夫々配置される転写部材の一例としての一次転写ロール５２と、を備えている。
【００２８】
これにより、各色の画像形成ユニット１６の像保持体３４上に順次形成されたイエロー（Ｙ）、マゼンタ（Ｍ）、シアン（Ｃ）、ブラック（Ｋ）の各色のトナー画像が、各色の一次転写ロール５２によって、中間転写ベルト４２上に多重に転写されるようになっている。
【００２９】
さらに、中間転写ベルト４２の表面に接して中間転写ベルト４２の表面を清掃する清掃ブレード５６が、中間転写ベルト４２を挟んで駆動ロール４６の反対側に配置されている。
【００３０】
また、中間転写ベルト４２を挟んで補助ロール５０の反対側には、中間転写ベルト４２上に転写されたトナー画像を、搬送されるシート部材Ｐに転写する二次転写ロール２２が設けられている。
【００３１】
〔供給搬送ユニット〕
次に、シート部材Ｐを供給して搬送する供給搬送ユニット３０について説明する。
【００３２】
供給搬送ユニット３０は、図５に示されるように、装置本体１０Ａ内において、画像形成ユニット１６に対して鉛直方向の下方に配置され、複数のシート部材Ｐが積載される給紙部材６２を備えている。
【００３３】
さらに、供給搬送ユニット３０は、給紙部材６２に積載されたシート部材Ｐを搬送経路６０へ送り出す給紙ロール６４と、給紙ロール６４によって送り出されたシート部材Ｐを１枚ずつ分離する分離ロール６６と、シート部材Ｐの搬送タイミングを合わせる位置合せロール６８と、を備えている。そして、各ロールが、シート搬送方向の上流側から下流側に向けてこの順番で配置されている。
【００３４】
この構成により、給紙部材６２から供給されたシート部材Ｐは、回転する位置合せロール６８によって中間転写ベルト４２と二次転写ロール２２との接触部（二次転写位置）へ定められたタイミングで送り出されるようになっている。
【００３５】
さらに、供給搬送ユニット３０は、定着装置４４によって一方の面にトナー画像が定着されたシート部材Ｐを、排出ロール２８によって排出部２６にそのまま排出させずに、他方の面にトナー画像を形成するために用いる両面搬送装置７０を備えている。
【００３６】
この両面搬送装置７０は、排出ロール２８から位置合せロール６８に向けてシート部材Ｐの表裏を反転させるようにシート部材Ｐが搬送される両面搬送経路７２と、両面搬送経路７２に沿ってシート部材Ｐを搬送する搬送ロール７４及び搬送ロール７６とを備えている。
【００３７】
（全体構成の作用）
この構成により、以下のようにシート部材Ｐに画像が形成される。
【００３８】
先ず、画像処理部１２から各色のＬＥＤヘッド３２に各色の階調データが順次出力さる。そして、このＬＥＤヘッド３２から階調データに応じて出射された露光光は、帯電装置３６によって帯電した像保持体３４の表面に照射される。これにより、像保持体３４の表面には静電潜像が形成される。像保持体３４上に形成された静電潜像は、各色の現像器３８によって現像され、それぞれイエロー（Ｙ）、マゼンタ（Ｍ）、シアン（Ｃ）、ブラック（Ｋ）の各色のトナー画像として可視化される。
【００３９】
さらに、一次転写ロール５２によって、像保持体３４上に形成されたイエロー（Ｙ）、マゼンタ（Ｍ）、シアン（Ｃ）、ブラック（Ｋ）の各色のトナー画像が、周回する中間転写ベルト４２上に多重に転写される。
【００４０】
周回する中間転写ベルト４２上に多重に転写された各色のトナー画像は、給紙部材６２から給紙ロール６４、分離ロール６６、位置合せロール６８によって搬送経路６０に沿って搬送されてきたシート部材Ｐに二次転写ロール２２によって二次転写位置で二次転写される。
【００４１】
さらに、トナー画像が転写されたシート部材Ｐは、定着装置４４へと搬送される。そして、トナー画像が定着装置４４によってシート部材Ｐに定着される。トナー画像が定着されていたシート部材Ｐは、排出ロール２８によって排出部２６に排出される。
【００４２】
一方、シート部材Ｐの両面に画像を形成させる場合は、定着装置４４によって一方の面（表面）にトナー画像が定着されたシート部材Ｐは、排出ロール２８によって排出部２６にそのまま排出されない。排出ロール２８を逆転させることで、シート部材Ｐの搬送方向が切り替えられる。そして、このシート部材Ｐは、搬送ロール７４、７６により両面搬送経路７２に沿って搬送される。
【００４３】
両面搬送経路７２に沿って搬送されるシート部材Ｐは、表裏が反転されて再度位置合せロール６８へと搬送される。今度は、シート部材Ｐの他方の面（裏面）にトナー画像が転写・定着された後、シート部材Ｐは、排出部２６に排出ロール２８によって排出される。
【００４４】
（要部構成）
次に、像保持体３４、帯電装置３６、一次転写ロール５２、これらの部材を制御する制御部材の一例としての制御部８０等について説明する。
【００４５】
〔像保持体〕
像保持体３４は、円柱状とされ、図１に示されるように、シャフト３４Ａを介して接地され、中間転写ベルト４２の表面に接触している。そして、像保持体３４は、図示せぬ駆動源から回転力が伝達され、中間転写ベルト４２の周回速度と同様の周速度で図中矢印Ｃ方向に回転するようになっている。また、像保持体３４に対して鉛直方向の下側には、帯電装置３６が配置されている。さらに、像保持体３４に対して中間転写ベルト４２を挟んで像保持体３４の反対側には、一次転写ロール５２が配置されている。
【００４６】
〔帯電装置〕
帯電装置３６は、像保持体３４の表面と接触し、回転する像保持体３４に従動して回転する帯電ロール８２と、交流電源を用いて交流電圧を帯電ロール８２に印加する交流電源部８４と、を備えている。
【００４７】
この構成において、交流電源部８４によって交流電圧が印加された帯電ロール８２が、回転する像保持体３４と従動して回転することで、像保持体３４の表面が帯電するようになっている。
【００４８】
〔一次転写ロール〕
一次転写ロール５２は、像保持体３４の軸方向（以下単に「軸方向」と記載することがある）に沿って延びるステンレス製の金属ロール（金属シャフト）であって、中間転写ベルト４２の裏面に接している。さらに、一次転写ロール５２は、一次転写ロール５２の両端部に備えられた図示せぬスプリングにより、中間転写ベルト４２の裏面に向けて付勢されている。そして、一次転写ロール５２は、周回する中間転写ベルト４２に従動して回転するようになっている。
【００４９】
また、軸方向から見て、像保持体３４の表面から一次転写ロール５２の表面までの距離が、中間転写ベルト４２の厚さよりも長くなるように一次転写ロール５２が配置されている。つまり、軸方向から見て、像保持体３４と中間転写ベルト４２との接触部と、像保持体３４の回転中心とを通る直線（図中線Ｈ）と、一次転写ロール５２と中間転写ベルト４２との接触部と、一次転写ロール５２の回転中心とを通る直線（図中線Ｋ）と、がオフセットしている。
【００５０】
さらに、一次転写ロール５２に転写電流を供給する電流供給部９０が備えられている。この電流供給部９０が一次転写ロール５２に転写電流を供給することで、転写電流は、一次転写ロール５２と中間転写ベルト４２の裏面との接触部から像保持体３４と中間転写ベルト４２の表面との接触部に向けて中間転写ベルト４２内を中間転写ベルト４２の周方向（図中矢印Ｊ）に流れるようになっている。これにより、一次転写ロール５２と像保持体３４との間に電位差が生じることで、中間転写ベルト４２と像保持体３４との間に電位差が生じ、この電位差により像保持体３４上に形成されたトナー画像が中間転写ベルト４２（被転写物の一例）に転写されるようになっている。
【００５１】
〔制御部〕
[制御‐１]
制御部８０は、交流電源部８４を制御して像保持体３４の表面電位を低くした際に、電流供給部９０を制御して一次転写ロール５２に供給される転写電流を小さくするようになっている。さらに、制御部８０は、交流電源部８４を制御して像保持体３４の表面電位を高くした際に、電流供給部９０を制御して一次転写ロール５２に供給される転写電流を大きくするようになっている。
【００５２】
なお、「表面電位を低くする」とは、表面電位を０〔Ｖ〕に近づけることであり、「表面電位を高くする」とは、表面電位を０〔Ｖ〕から遠ざけることである。つまり、「表面電位を低くする」とは、表面電位の絶対値を０〔Ｖ〕に近づけることであり、「表面電位を高くする」とは、表面電位の絶対値を０〔Ｖ〕から遠ざけることである。
【００５３】
このように、制御部８０が、像保持体３４の表面電位に応じて一次転写ロール５２に供給される転写電流の大きさを変える理由について、図２を用いて説明する。
【００５４】
図２に示すグラフの横軸は、像保持体３４の表面電位〔Ｖ〕を示し、縦軸は、一次転写ロール５２に供給される転写電流〔Ａ〕を示す。グラフ中の線Ｇは、実機評価より表面電位−７００〔Ｖ〕の際に、転写不良が生じない転写電流の範囲を示し、グラフ中の線Ｋは、実機評価より表面電位−６００〔Ｖ〕の際に、転写不良が生じない転写電流の範囲を示す。また、線Ｊは、線Ｇの中心値と、線Ｋの中心値とを通る線である。
【００５５】
このグラフからも分かるように、表面電位が−７００〔Ｖ〕の際に転写不良が生じない転写電流の値の幅（線Ｇの長さ）と、表面電位が−６００〔Ｖ〕の際に転写不良が生じない転写電流の値の幅（線Ｋの長さ）とは、同様であった。しかし、線Ｊから分かるように、像保持体３４の表面電位が低くなると、転写不良が生じない転写電流の値が低くなる。
【００５６】
[小括‐１]
ここで、前述したように、制御部８０は、像保持体３４の表面電位を低くした際に、一次転写ロール５２に供給される転写電流を小さくし、像保持体３４の表面電位を高くした際に、一次転写ロール５２に供給される転写電流を大きくするようになっている。
【００５７】
これにより、帯電装置３６を制御して像保持体３４の表面電位を変えたことに起因する画像品質の低下が抑制される。
【００５８】
なお、線Ｇ及び線Ｋから外れて転写電流が大きく又は小さくなることで生じる転写不良は、軸ずれが生じたている一次転写ロール５２の回転により生じるものが顕著に表れる。
【００５９】
具体的には、一次転写ロール５２が回転することで、一次転写ロール５２と中間転写ベルト４２とが接触する接触位置が周期的に変化する。これにより、軸方向から見て、一次転写ロール５２と中間転写ベルト４２の裏面との接触部から、像保持体３４と中間転写ベルト４２の表面との接触部までの距離（図中距離Ｌ）が変化する。すなわち、電流が中間転写ベルト４２内を流れる長さが変化する。このように、一次転写ロール５２と像保持体３４と間に生じる電位差が周期的に変化することで、転写不良が生じてしまう。
【００６０】
本実施形態では、一次転写ロール５２は、ステンレス製の金属ロール（金属シャフト）である。このため、外周に弾性層が被覆されている場合と比して、一次転写ロール５２と中間転写ベルト４２の裏面との接触部の位置が変化し易い構成となっている。さらに、軸方向から見て、像保持体３４の表面から一次転写ロール５２の表面までの距離が、中間転写ベルト４２の厚さよりも長くなっており、転写電流が、中間転写ベルト４２内を中間転写ベルト４２の周方向に流れるようになっている。このように、本実施形態では、前述した転写不良が生じやすい構成となっている。
【００６１】
しかし、前述したように、制御部８０は、像保持体３４の表面電位を低くした際に、一次転写ロール５２に供給される転写電流を小さくし、像保持体３４の表面電位を高くした際に、一次転写ロール５２に供給される転写電流を大きくするようになっている。これにより、本実施形態のように転写不良が生じやすい構成であっても、帯電装置３６を制御して像保持体３４の表面電位を変えたことに起因する画像品質の低下が抑制される。
【００６２】
[制御‐２]
さらに、制御部８０は、発光素子９２を制御して発光素子９２の発光強度（光量）を弱めた際に、交流電源部８４を制御して像保持体３４の表面電位を低くするようになっている。また、制御部８０は、発光素子９２を制御して発光素子９２の発光強度を強めた際に、交流電源部８４を制御して像保持体３４の表面電位を高くするようになっている。
【００６３】
例えば、発光素子９２を発光させることでＬＥＤヘッド３２が発熱し、この熱により画質不良が生じることがある。このような場合には、制御部８０は、発光素子９２の発光強度（光量）を弱めてＬＥＤヘッド３２の発熱を抑制することで、熱による画像不良を抑制するようになっている。そして、制御部８０は、発光素子９２を制御して発光素子９２の発光強度（光量）を弱めた際に、交流電源部８４を制御して像保持体３４の表面電位を低くする。これにより、[制御‐１]で説明した制御が実行されるようになる。
【００６４】
このように、制御部８０が、発光素子９２の発光強度に応じて像保持体３４の表面電位を変える理由について、図３（Ａ）（Ｂ）（Ｃ）、図４（Ａ）（Ｂ）（Ｃ）を用いて説明する。
【００６５】
図３（Ａ）には、帯電装置３６によって帯電した像保持体３４の表面電位（図中ＶＨ―０）と、ＬＥＤヘッド３２から像保持体３４の表面に露光光が照射されて低くなった（図中矢印参照）像保持体３４の降下電位（図中ＶＬ―０）と、が記載されている。
【００６６】
図３（Ｂ）には、帯電装置３６によって帯電した像保持体３４の表面電位（図中ＶＨ―０）を維持し、発光素子９２の発光強度を弱めた際に、ＬＥＤヘッド３２から像保持体３４の表面に露光光が照射されて低くなった像保持体３４の降下電位（図中ＶＬ―１）が記載されている。発光強度が弱められているため、ＶＬ―１は、ＶＬ―０よりも高くなっている。
【００６７】
ここで、前述したように、制御部８０は、発光素子９２を制御して発光素子９２の発光強度を弱めた際に、交流電源部８４を制御して像保持体３４の表面電位を低くするようになっている。
【００６８】
このため、図３（Ｃ）に示されるように、帯電装置３６によって帯電した像保持体３４の表面電位（図中ＶＨ―１）は、ＶＨ―０に比して低くなる。これにより、発光素子９２の発光強度を弱めた際に、ＬＥＤヘッド３２から像保持体３４の表面に露光光が照射されて低くなった像保持体３４の降下電位（図中ＶＬ―２）は、ＶＬ―０と同等となる。これにより、トナー濃度（画像の濃さ）が変化するのが抑制される。
【００６９】
また、図４（Ａ）には、図３（Ａ）と同様に、帯電装置３６によって帯電した像保持体３４の表面電位（図中ＶＨ―０）と、ＬＥＤヘッド３２から像保持体３４の表面に露光光が照射されて低くなった（図中矢印参照）像保持体３４の降下電位（図中ＶＬ―０）と、が記載されている。
【００７０】
図４（Ｂ）は、帯電装置３６によって帯電した像保持体３４の表面電位（図中ＶＨ―０）を維持し、発光素子９２の発光強度を強めた際に、ＬＥＤヘッド３２から像保持体３４の表面に露光光が照射されて低くなった像保持体３４の降下電位（図中ＶＬ―３）が記載されている。発光強度が強められているため、ＶＬ―３は、ＶＬ―０よりも低くなっている。
【００７１】
ここで、前述したように、制御部８０は、発光素子９２を制御して発光素子９２の発光強度を強めた際に、交流電源部８４を制御して像保持体３４の表面電位を高くするようになっている。
【００７２】
このため、図４（Ｃ）に示されるように、帯電装置３６によって帯電した像保持体３４の表面電位（図中ＶＨ―２）は、ＶＨ―０に比して高くなる。これにより、発光素子９２の発光強度を強めた際に、ＬＥＤヘッド３２から像保持体３４の表面に露光光が照射されて低くなった像保持体３４の降下電位（図中ＶＬ―４）は、ＶＬ―０と同等となる。これにより、トナー濃度（画像の濃さ）が変化するのが抑制される。
【００７３】
[小括‐２]
このように、発光素子９２の発光強度を変化させた際に、帯電装置３６によって表面が帯電する像保持体３４の表面電位を変化させることで、発光素子９２の発光強度を変えたことに起因する画像品質の低下が抑制される。
【００７４】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、像保持体３４上に形成されたトナー画像を中間転写ベルト４２に転写する構成を用いて本実施形態を説明したが、本実施形態を像保持体上に形成されたトナー画像を直接シート部材Ｐに転写する（直接転写）構成に用いてもよい。
【００７５】
また、上記実施形態では、一次転写ロール５２に転写電流を供給する場合を例にとって説明したが、一次転写ロールに転写電圧を供給（印加）してもよい。
【００７６】
また、上記実施形態では特に説明しなかったが、像保持体３４の表面電位は、装置内の環境と像保持体３４の表面の膜べり量予測値とから導出することができる。
【符号の説明】
【００７７】
１０      画像形成装置
３２      ＬＥＤヘッド（像形成部材の一例）
３４      像保持体
３６      帯電装置（帯電部材の一例）
３８      現像器（現像部材の一例）
４２      中間転写ベルト（転写ベルトの一例）
５２      一次転写ロール（転写部材の一例）
８０      制御部
９２      発光素子
【図１】
2015011289.tif 000003
【図２】
2015011289.tif 000004
【図３】
2015011289.tif 000005
【図４】
2015011289.tif 000006
【図５】
2015011289.tif 000007